(57)【特許請求の範囲】
【請求項１】
携帯電話機との間でハンズフリー通話を実現するためのプロトコルを接続するハンズフリー接続手段と、
携帯電話機から発信した発信電話番号の履歴を表す発信履歴データを当該携帯電話機から取得する発信履歴データ取得手段及び携帯電話機に着信した着信電話番号の履歴を表す着信履歴データを当該携帯電話機から取得する着信履歴データ取得手段のうち少なくともいずれかと、
携帯電話機に登録されている登録情報と電話番号との対応を表す電話帳データを当該携帯電話機から取得する電話帳データ取得手段と、
登録情報と電話番号との対応を表す電話帳データを記憶する電話帳データ記憶手段と、
前記電話帳データ記憶手段に記憶されている電話帳データを表示手段に表示させ、ユーザが操作手段により所定操作を行って選択した電話番号を発信電話番号とする発信制御を前記ハンズフリー接続手段が携帯電話機との間でハンズフリー通話を実現するためのプロトコルを接続している状態で行う制御手段とを備えた車載ハンズフリー装置であって、
前記制御手段は、少なくとも携帯電話機と車載ハンズフリー装置との間の近距離通信が可能になったことにより、当該携帯電話機から発信履歴データまたは着信履歴データを取得する条件が成立した旨を判定すると、前記電話帳データ記憶手段の発信履歴データ記憶領域または着信履歴データ記憶領域に記憶可能な件数と携帯電話機に記憶されている発信履歴データまたは着信履歴データの件数とに基づいて、携帯電話機に記憶されている発信履歴データまたは着信履歴データの全てまたは一部を当該携帯電話機から前記電話帳データ取得手段により取得させ、その取得した発信履歴データを前記電話帳データ記憶手段の発信履歴データ記憶領域に記憶させるかまたは着信履歴データを前記電話帳データ記憶手段の着信履歴データ記憶領域に記憶させ、前記電話帳データ記憶手段の発信履歴データまたは着信履歴データを更新し、携帯電話機から前記発信履歴データ取得手段により取得した発信履歴データの電話番号または前記着信履歴データ取得手段により取得した着信履歴データの電話番号が携帯電話機の電話帳データに登録されているときには、当該携帯電話機から当該携帯電話機の電話帳データのうち当該電話番号に対応する登録情報を含む一部を前記電話帳データ取得手段により取得させ、携帯電話機から前記電話帳データ取得手段により取得した登録情報を当該携帯電話機から前記発信履歴データ取得手段により取得した発信履歴データの電話番号または前記着信履歴データ取得手段により取得した着信履歴データの電話番号と対応付けて自装置の電話帳データとして前記電話帳データ記憶手段に記憶させることを特徴とする車載ハンズフリー装置。
【請求項２】
請求項１に記載した車載ハンズフリー装置において、
前記制御手段は、前記電話帳データ記憶手段の発信履歴データ記憶領域または着信履歴データ記憶領域に記憶可能な件数が携帯電話機に記憶されている発信履歴データまたは着信履歴データの件数よりも小さければ、携帯電話機に記憶されている発信履歴データまたは着信履歴データの一部を当該携帯電話機から前記電話帳データ取得手段により取得させ、その取得した発信履歴データを前記電話帳データ記憶手段の発信履歴データ記憶領域に記憶させるかまたは着信履歴データを前記電話帳データ記憶手段の着信履歴データ記憶領域に記憶させ、前記電話帳データ記憶手段の発信履歴データまたは着信履歴データを更新することを特徴とする車載ハンズフリー装置。
【請求項３】
請求項２に記載した車載ハンズフリー装置において、
前記制御手段は、前記電話帳データ記憶手段の発信履歴データ記憶領域または着信履歴データ記憶領域に記憶可能な件数が携帯電話機に記憶されている発信履歴データまたは着信履歴データの件数よりも小さければ、携帯電話機に記憶されている発信履歴データまたは着信履歴データの一部である発信日時が新しい発信履歴データまたは着信日時が新しい着信履歴データを当該携帯電話機から前記電話帳データ取得手段により取得させ、その取得した発信履歴データを前記電話帳データ記憶手段の発信履歴データ記憶領域に記憶させるかまたは着信履歴データを前記電話帳データ記憶手段の着信履歴データ記憶領域に記憶させ、前記電話帳データ記憶手段の発信履歴データまたは着信履歴データを更新することを特徴とする車載ハンズフリー装置。
【請求項４】
請求項１ないし３のいずれかに記載した車載ハンズフリー装置において、
前記制御手段は、携帯電話機から前記発信履歴データ取得手段により取得した発信履歴データの電話番号または前記着信履歴データ取得手段により取得した着信履歴データの電話番号が重複しているときには、それら重複している発信履歴データまたは着信履歴データのうち発信日時が最新の発信履歴データまたは着信日時が最新の着信履歴データのみを前記電話帳データ記憶手段に記憶させることを特徴とする車載ハンズフリー装置。
【請求項５】
請求項１ないし４のいずれかに記載した車載ハンズフリー装置において、
前記制御手段は、前記電話帳データ記憶手段に記憶されている電話帳データを登録名順にしたがって前記表示手段に表示させることを特徴とする車載ハンズフリー装置。
【請求項６】
請求項１ないし４のいずれかに記載した車載ハンズフリー装置において、
前記制御手段は、前記電話帳データ記憶手段に記憶されている電話帳データを発信回数順または着信回数順にしたがって前記表示手段に表示させることを特徴とする車載ハンズフリー装置。
【発明の詳細な説明】
【技術分野】
【０００１】
本発明は、登録情報と電話番号との対応を表す電話帳データを表示し、ユーザが選択した電話番号を発信電話番号とする発信制御を携帯電話機との間でハンズフリー通話を実現するためのプロトコルを接続している状態で行うように構成されてなる車載ハンズフリー装置に関する。
【背景技術】
【０００２】
例えばユーザがＢｌｕｅｔｏｏｔｈ（登録商標）通信機能付き携帯電話機（以下、携帯電話機と称する）を携帯してＢｌｕｅｔｏｏｔｈ通信機能付き車載ハンズフリー装置（以下、車載ハンズフリー装置と称する）を搭載している車両に乗込み、携帯電話機と車載ハンズフリー装置とがＢｌｕｅｔｏｏｔｈ通信圏内になると、両者の間で電話帳データの転送を規定しているＰＢＡＰ（Phone Book Access Profile）を接続することにより、携帯電話機が電話帳データを車載ハンズフリー装置に転送するものがある（例えば特許文献１参照）。
【特許文献１】特開２００２−１９３０４６号公報
【発明の開示】
【発明が解決しようとする課題】
【０００３】
車載ハンズフリー装置による携帯電話機を利用したハンズフリー通話の使用態様として、車載ハンズフリー装置において、携帯電話機から転送された発信履歴データの電話番号または着信履歴データの電話番号を発信電話番号として発信制御を行う場合がある。ところで、車載ハンズフリー装置が携帯電話機に登録されている電話帳データと同一の電話帳データを記憶するには、携帯電話機に登録されている電話帳データを携帯電話機から車載ハンズフリー装置に転送させる必要があるが、電話帳データはデータ量が極めて多い（登録件数が多い）のが一般的であるという事情から、携帯電話機から車載ハンズフリー装置に電話帳データを転送させるのに多大な時間を要するという問題があり、また、携帯電話機から転送された多大なデータ量を記憶させておく記憶領域が車載ハンズフリー装置に必要になるという問題もある。また、ユーザが車載ハンズフリー装置を操作して電話帳データを検索する場合に、登録件数が多い電話帳データのうちから所望の電話帳データを選択する必要があり、その操作が煩わしいという問題もあった。
【０００４】
本発明は、上記した事情に鑑みてなされたものであり、その目的は、携帯電話機からの多大なデータ量の電話帳データの転送を必要とすることなく、電話帳データを検索するときの操作性を高めることができる車載ハンズフリー装置を提供することにある。
【課題を解決するための手段】
【０００５】
請求項１に記載した発明によれば、制御手段は、電話帳データ記憶手段に記憶されている電話帳データを表示手段に表示させ、ユーザが操作手段により所定操作を行って選択した電話番号を発信電話番号とする発信制御をハンズフリー接続手段が携帯電話機との間でハンズフリー通話を実現するためのプロトコルを接続している状態で行う。ここで、制御手段は、少なくとも携帯電話機と車載ハンズフリー装置との間の近距離通信が可能になったことにより、当該携帯電話機から発信履歴データまたは着信履歴データを取得する条件が成立した旨を判定すると、電話帳データ記憶手段の発信履歴データ記憶領域または着信履歴データ記憶領域に記憶可能な件数と携帯電話機に記憶されている発信履歴データまたは着信履歴データの件数とに基づいて、携帯電話機に記憶されている発信履歴データまたは着信履歴データの全てまたは一部を当該携帯電話機から電話帳データ取得手段により取得させ、その取得した発信履歴データを電話帳データ記憶手段の発信履歴データ記憶領域に記憶させるかまたは着信履歴データを電話帳データ記憶手段の着信履歴データ記憶領域に記憶させ、電話帳データ記憶手段の発信履歴データまたは着信履歴データを更新する。そして、制御手段は、携帯電話機から発信履歴データ取得手段により取得した発信履歴データの電話番号または着信履歴データ取得手段により取得した着信履歴データの電話番号が携帯電話機の電話帳データに登録されていれば、当該携帯電話機から当該携帯電話機の電話帳データのうち当該電話番号に対応する登録情報を含む一部を電話帳データ取得手段により取得させ、携帯電話機から電話帳データ取得手段により取得した登録情報を当該携帯電話機から発信履歴データ取得手段により取得した発信履歴データの電話番号または着信履歴データ取得手段により取得した着信履歴データの電話番号と対応付けて自装置の電話帳データとして電話帳データ記憶手段に記憶させる。
【０００６】
これにより、携帯電話機に登録されている電話帳データの全てを取得するのではなく、携帯電話機に登録されている電話帳データのうち当該携帯電話機から取得した発信履歴データの電話番号または着信履歴データの電話番号に対応する登録情報を含む一部を取得して自装置の電話帳データとして記憶し、その記憶した電話帳データを表示してユーザが選択した電話番号を発信電話番号として発信制御を行うことになり、つまり、携帯電話機における最近の発信履歴または着信履歴のみを反映した電話帳データを表示してユーザが選択した電話番号を発信電話番号として発信制御を行うことになるので、携帯電話機からの多大なデータ量の電話帳データの転送を必要とすることなく、電話帳データを検索するときの操作性を高めることができる。
【０００７】
請求項４に記載した発明によれば、制御手段は、携帯電話機から発信履歴データ取得手段により取得した発信履歴データの電話番号または着信履歴データ取得手段により取得した着信履歴データの電話番号が重複していると、それら重複している発信履歴データまたは着信履歴データのうち発信日時が最新の発信履歴データまたは着信日時が最新の着信履歴データのみを電話帳データ記憶手段に記憶させる。これにより、電話帳データ記憶手段を有効に利用することができ、重複している発信履歴データまたは着信履歴データのうち発信日時が最新の発信履歴データまたは着信日時が最新の着信履歴データのみを表示することにより、電話帳データを検索するときの操作性をより高めることができる。
【０００８】
請求項５に記載した発明によれば、制御手段は、電話帳データ記憶手段に記憶されている電話帳データを登録名順にしたがって表示手段に表示させる。これにより、電話帳データを登録名順（例えばあいうえお順やアルファベット順）にしたがって表示することにより、電話帳データを登録名順にしたがってユーザに検索させることができる。
【０００９】
請求項６に記載した発明によれば、制御手段は、電話帳データ記憶手段に記憶されている電話帳データを発信回数順または着信回数順にしたがって表示手段に表示させる。これにより、電話帳データを発信回数順または着信回数順にしたがって表示することにより、電話帳データを発信回数順または着信回数順にしたがってユーザに検索させることができる。
【発明を実施するための最良の形態】
【００１０】
以下、本発明を、Ｂｌｕｅｔｏｏｔｈ通信機能付き車載ハンズフリー装置（以下、車載ハンズフリー装置と称する）に適用した一実施形態について、図面を参照して説明する。図１は、車載ハンズフリー装置にあって発明の要部を機能ブロック図として示している。車載ハンズフリー装置１は、制御部２（本発明でいう制御手段）、Ｂｌｕｅｔｏｏｔｈ通信部３（本発明でいうハンズフリー接続手段、発信履歴データ取得手段、着信履歴データ取得手段、電話帳データ取得手段）、操作部４（本発明でいう操作手段）、表示部５（本発明でいう表示手段）、音声制御部６及び記憶部７（本発明でいう電話帳データ記憶手段）を備えて構成されている。
【００１１】
制御部２は、車載ハンズフリー装置１の通信動作やデータ管理動作などの動作全般を制御する。Ｂｌｕｅｔｏｏｔｈ通信部３は、Ｂｌｕｅｔｏｏｔｈ通信機能付き携帯電話機（以下、携帯電話機と称する）１１がＢｌｕｅｔｏｏｔｈ通信圏内に存在していれば、携帯電話機１１との間でハンズフリー通話を規定しているＨＦＰ（Hands Free Profile）を接続することにより、車載ハンズフリー装置１による携帯電話機１１を利用したハンズフリー通話を実現する。
【００１２】
操作部４は、ユーザが操作可能な幾つかのキーを有して構成され、ユーザが操作した操作内容を表す操作信号を制御部２に出力する。表示部５は、例えば液晶ディスプレイから構成され、制御部２から表示指令信号を入力すると、その入力した表示指令信号に基づいて表示画面を表示する。音声制御部６は、マイクロホン８から入力した入力音声及びスピーカ９から出力する出力音声を音声処理する。尚、マイクロホン８は例えばステアリングの脇などのユーザが発した音声を集音し易い部位に設置され、スピーカ９は例えば車載オーディオ機器のスピーカと兼用されて設置されている。
【００１３】
記憶部７は、発信履歴データを記憶するための発信履歴データ記憶領域、着信履歴データを記憶するための着信履歴データ記憶領域及び電話帳データを記憶するための電話帳データ記憶領域を有しており、制御部２は、携帯電話機１１からＢｌｕｅｔｏｏｔｈ通信部３に転送された発信履歴データを記憶部７の発信履歴データ記憶領域に記憶させ、携帯電話機１１からＢｌｕｅｔｏｏｔｈ通信部３に転送された着信履歴データを記憶部７の着信履歴データ記憶領域に記憶させ、携帯電話機１１からＢｌｕｅｔｏｏｔｈ通信部３に転送された電話帳データを記憶部７の電話帳データ記憶領域に記憶させる。尚、上記したハンズフリー装置１は、ＡＣＣスイッチのオンオフに連動して起動・停止するように構成されている。
【００１４】
携帯電話機１１は、自機から発信した発信電話番号の履歴を表す発信履歴データを所定件数だけ記憶可能に構成され、自機に着信した着信電話番号の履歴を表す着信履歴データを所定件数だけ記憶可能に構成され、ユーザが携帯電話機１１を操作して登録した電話帳データを所定件数だけ記憶可能に構成されている。
【００１５】
携帯電話機１１に記憶される発信履歴データは、図２（ａ）に示すように、発信日時と発信電話番号との対応を表す所定件数（図２（ａ）では例えば２０件）からなるデータであり、所定件数を超えて新たな発信が発生したときには所定件数の発信履歴のうちその時点で記憶されている発信日時が最古の発信履歴が消去されて新たな発信に関する発信履歴が追加記憶されることで逐一更新される。携帯電話機１１に記憶される着信履歴データは、図２（ｂ）に示すように、着信日時と着信電話番号との対応を表す所定件数（図２（ｂ）では例えば２０件）からなるデータであり、上記した発信履歴データと同様にして、所定件数を超えて新たな着信が発生したときには所定件数の着信履歴のうちその時点で記憶されている着信日時が最古の着信履歴が消去されて新たな着信に関する着信履歴が追加記憶されることで逐一更新される。携帯電話機１１に登録される電話帳データは、図３に示すように、登録名と電話番号との対応を表す所定件数（図３では例えば５００件）からなるデータである。尚、上記した構成では、制御部２は、ユーザが電話帳データ作成条件として予め選択した登録名順及び発着信回数順のいずれかを設定している。
【００１６】
次に、上記した構成の作用について、図４ないし図９を参照して説明する。図４は、車載ハンズフリー装置１の制御部２が行う処理をフローチャートとして示している。
制御部２は、携帯電話機１１から発信履歴データ及び着信履歴データを取得する条件が成立したか否かを判定している（ステップＳ１）。ここで、制御部２は、携帯電話機１１から発信履歴データ及び着信履歴データを取得する条件が成立した旨を判定すると（ステップＳ１にて「ＹＥＳ」）、発着信履歴データ要求コマンドをＢｌｕｅｔｏｏｔｈ通信部３から携帯電話機１１に送信させ（ステップＳ２）、携帯電話機１１から発信履歴データ及び着信履歴データをＢｌｕｅｔｏｏｔｈ通信部３により受信する旨を待機する（ステップＳ３）。携帯電話機１１は、車載ハンズフリー装置１から発着信履歴データ要求コマンドを受信すると、その時点で記憶している発信履歴データ及び着信履歴データを車載ハンズフリー装置１に送信する。
【００１７】
そして、制御部２は、携帯電話機１１から発信履歴データ及び着信履歴データをＢｌｕｅｔｏｏｔｈ通信部３により受信した旨を判定すると（ステップＳ３にて「ＹＥＳ」）、その受信した発信履歴データを記憶部７の発信履歴データ記憶領域に記憶させると共に着信履歴データを記憶部７の着信履歴データ記憶領域に記憶させて記憶部７の発信履歴データ及び着信履歴データを更新すると共に、図５に示すように、それら発信履歴データ及び着信履歴データを発着信時刻順にしたがって並べ替えた発着信履歴データを作成する（ステップＳ４）。
【００１８】
ここで、携帯電話機１１から発信履歴データ及び着信履歴データを取得する条件とは、少なくとも携帯電話機１１がＢｌｕｅｔｏｏｔｈ通信部３のＢｌｕｅｔｏｏｔｈ通信圏内に存在しており、例えば制御部２が携帯電話機１１に記憶されている発信履歴データ及び着信履歴データと記憶部７に記憶されている発信履歴データ及び着信履歴データとを照合して両者が不一致であることを判定したことであり、制御部２は、少なくとも携帯電話機１１がＢｌｕｅｔｏｏｔｈ通信部３のＢｌｕｅｔｏｏｔｈ通信圏内に存在し、且つ、携帯電話機１１に記憶されている発信履歴データ及び着信履歴データと記憶部７に記憶されている発信履歴データ及び着信履歴データとが不一致であることを判定すると、携帯電話機１１から発信履歴データ及び着信履歴データを取得する条件が成立したことを判定する。尚、制御部２は、携帯電話機１１に記憶されている発信履歴データ及び着信履歴データと記憶部７に記憶されている発信履歴データ及び着信履歴データとを照合することなく、携帯電話機１１がＢｌｕｅｔｏｏｔｈ通信部３のＢｌｕｅｔｏｏｔｈ通信圏内に存在することを判定すると、携帯電話機１１から発信履歴データ及び着信履歴データを取得する条件が成立したことを判定しても良い。
【００１９】
また、記憶部７の発信履歴データ記憶領域及び着信履歴データ記憶領域と携帯電話機１１に記憶されている発信履歴データ及び着信履歴データの件数とが、前者が後者よりも大きければ、制御部２は、その時点で携帯電話機１１に記憶されている発信履歴データ及び着信履歴データの全てを記憶部７の発信履歴データ記憶領域及び着信履歴データ記憶領域に転送させて記憶させ、一方、前者が後者よりも小さければ、制御部２は、その時点で携帯電話機１１に記憶されている発信履歴データ及び着信履歴データのうち選択された一部（例えば発信日時または着信日時が新しいデータ）を優先して記憶部７の発信履歴データ記憶領域及び着信履歴データ記憶領域に転送させて記憶させる。
【００２０】
次いで、制御部２は、発信履歴データ及び着信履歴データを発着信時刻順にしたがって並べ替えて作成した発着信履歴データのうち重複している電話番号が存在するか否かを判定し（ステップＳ５）、重複している電話番号が存在する旨を判定すると（ステップＳ５にて「ＹＥＳ」）、図６に示すように、それら重複している電話番号のうち発着信日時が最新の電話番号のみを選択し、発着信日時が最新の電話番号以外のデータを削除する（ステップＳ６）。そして、制御部２は、電話帳検索コマンドをＢｌｕｅｔｏｏｔｈ通信部３から携帯電話機１１に送信させ（ステップＳ７）、携帯電話機１１から電話番号に対応する登録名をＢｌｕｅｔｏｏｔｈ通信部３により受信する旨を待機する（ステップＳ８）。携帯電話機１１は、車載ハンズフリー装置１から電話帳検索コマンドを受信すると、その時点で登録されている電話帳データを検索し、車載ハンズフリー装置１から受信した電話番号に対応する登録名を車載ハンズフリー装置１に送信する。
【００２１】
制御部２は、携帯電話機１１から電話番号に対応する登録名をＢｌｕｅｔｏｏｔｈ通信部３により受信した旨を判定すると（ステップＳ８にて「ＹＥＳ」）、その時点で設定している電話帳データ作成条件が登録名順であるか発着信回数順であるかを判定する（ステップＳ９，Ｓ１０）。そして、制御部２は、その時点で設定している電話帳データ作成条件が登録名順である旨を判定すると（ステップＳ９にて「ＹＥＳ」）、これよりも先に作成した発着信履歴データを登録名順に並べ替え、図７に示すように、電話帳データを登録名順にしたがって作成し（あいうえお順で「青木○○」が先頭になる）、その作成した登録名順の電話帳データを記憶部７の電話帳データ記憶領域に記憶させる（ステップＳ１１）。
【００２２】
また、制御部２は、その時点で設定している電話帳データ作成条件が発着信回数順である旨を判定すると（ステップＳ１０にて「ＹＥＳ」）、これよりも先に作成した発着信履歴データを発着信回数順に並べ替え、図８に示すように、電話帳データを発着信回数順にしたがって作成し（発着信回数が最大の「田中○○」が先頭になる）、その作成した発着信回数順の電話帳データを記憶部７の電話帳データ記憶領域に記憶させる（ステップＳ１２）。
【００２３】
そして、制御部２は、これ以降、ユーザが電話帳データの読出操作を操作部４により行った旨を判定すると、その時点で記憶部７の電話帳データ記憶領域に記憶されている電話帳データを表示部５に表示させる。すなわち、制御部２は、その時点で登録名順にしたがって作成した電話帳データが記憶されていれば、図９（ａ）に示すように、電話帳データを登録名順で表示部５に表示させ、一方、その時点で発着信回数順にしたがって作成した電話帳データが記憶されていれば、図９（ｂ）に示すように、電話帳データを発着信回数順で表示部５に表示させる。尚、図９では、制御部２が選択している電話番号を破線にして示しており、ユーザは、電話番号の選択操作を操作部４により行うことで電話番号を選択することができ、発信操作を操作部４により行うことで当該選択した電話番号を発信電話番号として発信することができる。
【００２４】
これにより、ユーザは、携帯電話機１１に登録されている電話帳データの全てを検索するのではなく、携帯電話機１１から転送された発信履歴データの電話番号及び着信履歴データの電話番号、つまり、携帯電話機１１における最近の発信履歴または着信履歴のみを反映した電話帳データを検索して発信操作を行うことが可能となる。
【００２５】
以上に説明したように本実施形態によれば、車載ハンズフリー装置１において、携帯電話機１１に登録されている電話帳データの全てを転送させるのではなく、携帯電話機１１に登録されている電話帳データのうち当該携帯電話機１１から転送された発信履歴データの電話番号または着信履歴データの電話番号に対応する登録名を含む一部を転送させて自装置の電話帳データとして記憶し、その記憶した電話帳データを表示してユーザが選択した電話番号を発信電話番号として発信制御を行うように構成したので、携帯電話機１１からの多大なデータ量の電話帳データの転送を必要とすることなく、携帯電話機１１における最近の発信履歴または着信履歴のみを反映した電話帳データをユーザが検索して発信操作を行うことができ、電話帳データを検索するときの操作性を高めることができる。
【００２６】
また、携帯電話機１１から転送された発信履歴データの電話番号または着信履歴データの電話番号が重複していると、それら重複している発信履歴データまたは着信履歴データのうち発信日時が最新の発信履歴データまたは着信日時が最新の着信履歴データのみを記憶するように構成したので、電話帳データの記憶領域を有効に利用することができ、電話帳データを検索するときの操作性をより高めることができる。
また、記憶部７に記憶させた電話帳データを登録名順にしたがって表示したり発着信回数順にしたがって表示したりするように構成したので、電話帳データを登録名順または発着信回数順にしたがってユーザに検索させることができる。
【００２７】
本発明は、上記した実施形態にのみ限定されるものではなく、以下のように変形または拡張することができる。
車載ハンズフリー装置に限らず、ハンズフリー機能を有する車載ナビゲーション装置に適用しても良い。
携帯電話機から車載ハンズフリー装置に発信履歴データ及び着信履歴データを転送させ、発信履歴データの電話番号または着信履歴データの電話番号と携帯電話機に登録されている登録名とを対応付けて自装置の電話帳データを作成する構成に限らず、携帯電話機から車載ハンズフリー装置に発信履歴データ及び着信履歴データのうちいずれかを転送させ、発信履歴データの電話番号及び着信履歴データの電話番号のうちいずれかと携帯電話機に登録されている登録名とを対応付けて自装置の電話帳データを作成する構成であっても良い。
【００２８】
携帯電話機から車載ハンズフリー装置に各種データをＢｌｕｅｔｏｏｔｈ通信により転送させる構成に限らず、各種データを他の無線通信により転送させる構成であっても良く、また、各種データを有線通信により転送させる構成であっても良い。
車載ハンズフリー装置が携帯電話機から発信履歴データ及び着信履歴データを取得する条件は他の条件であっても良い。
【図面の簡単な説明】
【００２９】
【図１】本発明の一実施形態を示す機能ブロック図
【図２】携帯電話機の発信履歴データ及び着信履歴データの一例を示す図
【図３】携帯電話機の電話帳データの一例を示す図
【図４】フローチャート
【図５】車載ハンズフリー装置の発着信履歴データの一例を示す図
【図６】図５相当図
【図７】車載ハンズフリー装置の電話帳データ（登録名順）の一例を示す図
【図８】車載ハンズフリー装置の電話帳データ（発着信回数順）の一例を示す図
【図９】表示画面の一例を示す図
【符号の説明】
【００３０】
図面中、１は車載ハンズフリー装置、２は制御部（制御手段）、３はＢｌｕｅｔｏｏｔｈ通信部（ハンズフリー接続手段、発信履歴データ取得手段、着信履歴データ取得手段、電話帳データ取得手段）、４は操作部（操作手段）、５は表示部（表示手段）、７は記憶部（電話帳データ記憶手段）、１１は携帯電話機である。
【図１】
0004506813.tif 000002
【図２】
0004506813.tif 000003
【図３】
0004506813.tif 000004
【図４】
0004506813.tif 000005
【図５】
0004506813.tif 000006
【図６】
0004506813.tif 000007
【図７】
0004506813.tif 000008
【図８】
0004506813.tif 000009
【図９】
0004506813.tif 000010